(57)【特許請求の範囲】
【請求項１】
カーテンに係止される吊り具本体と、この吊り具本体に結合され、ランナの吊り環に掛け止められるフックと、同じく吊り具本体に結合され、前記フックの下方に配置された係止環とを具備した弾性合成樹脂製のカーテン吊り具であって、
この係止環は、カーテンの裏地に係止された裏地用フックを正面から掛け止められる方向に孔を向けて形成されていることを特徴とするカーテン吊り具。
【請求項２】
前記係止環は、互いに結合した左右一対の湾曲部から成り、これらの湾曲部は、先端部が相互に上下に重なるように位置を上下にずらして配置されていることを特徴とする請求項１に記載のカーテン吊り具。
【請求項３】
前記フックと係止環とが、前記吊り具本体に対してラチェット式に下方へ移動自在のフック体上に設けられていることを特徴とする請求項１に記載のカーテン吊り具。
【請求項４】
前記吊り具本体とフックと係止環とが一体に構成されていることを特徴とする請求項１に記載のカーテン吊り具。
【発明の詳細な説明】
【０００１】
【産業上の利用分野】
本発明は、カーテンの裏側に、光を遮るための遮光カーテンのような裏地を重ねて同時に吊り止めるためのカーテン吊り具に関するものである。
【０００２】
【従来の技術】
従来、実開平５−４８７７４号の公報に記載のカーテン吊り具が知られている。このカーテン吊り具は、弾性合成樹脂製で、カーテンに取付けるための縦方向の挿入杆と、下部において挿入杆に連続し、挿入杆と並行して縦方向に伸びる主杆と、主杆に対してラチェット式に移動自在に取り付けられたフック体とを具備している。フック体の下部には、裏地用フックが設けられている。フック体をランナーの吊り環に掛けてカーテンを吊り、さらに裏地用フックに、裏地の上縁に取り付けられた吊り環を掛けて裏地を吊り、二重カーテンを構成する。
【０００３】
【発明が解決しようとする課題】
上記従来のカーテン吊り具は、専用の吊り環を裏地の上縁に取り付けて使用するもので、一般に広く使われる鈎状のフックを用いることができない。強いてこれを用いると、フックを裏地に平行に取り付け、裏地用フックに横方向から掛け止める困難な操作を必要とする。
従って、本発明は、裏地に取り付けられた鈎状のフックを正面から引っかけ易く、裏地の吊り止め作業が容易で、さらに成型が容易なカーテン吊り具を提供することを課題としている。
【０００４】
【課題を解決するための手段】
上記課題を解決するため、本発明においては、カーテンＣに係止される吊り具本体２と、この吊り具本体２に結合され、ランナの吊り環に掛け止められるフック７と、同じく吊り具本体２に結合され、フック７の下方に配置された係止環８とを具備させて弾性合成樹脂製のカーテン吊り具１を構成する。係止環８は、カーテンＣの裏地Ａに係止された裏地用フック１５を正面から掛け止めるようにに孔８ｂを配置して形成した。
そして、係止環８は、互いに先端側で結合する左右一対の湾曲部８ａで構成し、これらの湾曲部８ａを先端側が相互に上下に重なるように位置をづらして配置した。
【０００５】
【発明の実施の形態】
本発明の実施の一形態を図面を参照して説明する。
図１乃至図７において、カーテン吊り具１は弾性を有するプラスチックにて成型された本体２と、この本体２に取り付けられたフック体３とを備えている。本体２は、下端においてＵ字状に連続して、上方へ並行に伸びる主杆４と挿入杆５とを備えている。主杆４は、正面側に縦方向のラチェット歯４ａの列を備えている。主杆４の上部後面には、振れ止め用の副挿入杆４ｂが形成されている。
【０００６】
フック体３は本体２と別体に構成されている。フック体３は、主杆４に対して挿入杆５の反対側に配置され、主杆４のラチェット歯４ａにラチェット式に係合する。これにより、フック体３は、主杆４に対して上下の取付け位置を調整することができる。
【０００７】
図８乃至図１１に示すように、フック体３は、主杆４を上下に摺動自在に抱持するように横断面が略コ字状を成す抱持部６と、図示しないランナの吊り環に掛け止めるためのフック７と、裏地用フック１５を掛けるための係止環８とを具備している。抱持部６の内側には、本体２のラチェット歯列４ａに対応して、左右一対の薄板状ラチェット爪１０，１０が突設されている。各ラチェット爪１０は、下端において前壁９に結合し、上方に傾斜して伸びている。抱持部６の左右両側壁１１の後端縁には、相対向して内側に突出する係合突起１２を有する。係合突起１２は本体２の縦方向の係合溝１３に上下に摺動自在に係合する。側壁１１は、内外に貫通する矩形の開口１４を備えている。係止環８は、抱持部６の前壁９の下端部から前方へ斜め下向きに突出するように一体に形成されている。係止環８は、Ｕ字状に湾曲して先端側で上下に結合した左右一対の湾曲部８ａで構成されている。即ち、湾曲部８ａは、基端側で抱持部６に結合し、先端側で上下に重なるように相互に結合して環状を成している。上下に変位した一対の湾曲部８ａで係止環８が構成されているから、フック体３の成型時に、正面から見て左右一対の金型で係止環８を形成できる。湾曲部８ａの延出角度は任意であり、フック７の位置を調整すれば、水平に延出させることもできる。
【０００８】
抱持部６の前壁９の上端中央から上方へ真っ直ぐに延びるフック７の立上り部１６の背面には、縦方向のガイド溝１８が設けられている。ガイド溝１８は、主杆４のラチェット歯４ａ列を左右に仕切るガイド突条１７を上下に摺動自在に受け入れることができる。
【０００９】
このカーテン吊り具１は、図１に示すように、カーテンＣのひだ部Ｃ１に装着される。カーテンＣに重ねて吊られる裏地Ａには、裏地用フック１５が装着されている。裏地用フック１５は、ほぼ縦長Ｓ字状に屈曲して、上下にフック部１５ａ、１５ｂを備えたもので、鋼線や合成樹脂で形成される。裏地用フック１５をカーテン吊り具１の係止環８に掛けて裏地Ａを吊り、面ファスナＡ１でカーテンＣに重ねて止める。係止環８はその孔８ｂが正面側に位置するので、裏地用フック１５のフック部の向きと一致しており、正面から引っ掛け易く、多数の吊り具１６を止める装着作業が容易である。係止環８を上下にずれた左右一対の湾曲部８ａで構成したため、成型時に金型を左右で抜くことができ、製作が容易になり、安価に提供できる。
なお、室内側に他のカーテンを二重に吊る場合、室内側のカーテンの左右端部を窓側に折り曲げて、端部のフックを係止環８に掛け止めて支持することができる。また、カーテン吊り具は本体２とフック体３とを一体に結合させたものであってもよい。
【００１０】
【発明の効果】
以上のように、本発明においては、裏地を吊り止めるための鈎状フックが前後方向に取り付けられていても、係止環８に引っ掛け易く、装着が容易である。
また、係止環８の孔８ｂの存在にもかかわらず、フック体成型用の一対の金型を正面から見て左右に抜くことができるから、比較的容易に製作することができ、安価に提供できるという効果を有する。
【図面の簡単な説明】
【図１】本発明に係るカーテン吊り具の装着状態の斜視図である。
【図２】カーテン吊り具の斜視図である。
【図３】カーテン吊り具の正面図である。
【図４】カーテン吊り具の左側面図である。
【図５】カーテン吊り具の右側面図である。
【図６】カーテン吊り具の平面図である。
【図７】カーテン吊り具の底面図である。
【図８】フック体の正面図である。
【図９】フック体の左側面図である。
【図１０】フック体の右側面図である。
【図１１】フック体の底面図である。
【符号の説明】
１    カーテン吊り具
２    本体
３    フック体
４    主杆
４ａ  ラチェット歯
５    挿入杆
６    抱持部
７    フック部
８    係止環
８ａ  湾曲部
８ｂ  孔
１０    ラチェット爪
【図１】
0003971514.tif 000002
【図２】
0003971514.tif 000003
【図３】
0003971514.tif 000004
【図４】
0003971514.tif 000005
【図５】
0003971514.tif 000006
【図６】
0003971514.tif 000007
【図７】
0003971514.tif 000008
【図８】
0003971514.tif 000009
【図９】
0003971514.tif 000010
【図１０】
0003971514.tif 000011
【図１１】
0003971514.tif 000012